(57)【要約】【課題】  安価かつ簡易に製作することが可能であるとともに、パネル構成の自由度を高めることができるようにしたパーティション装置を提供する。【解決手段】  左右１対の側部枠杆２，２の上下の端部同士を、それぞれ上部枠杆３、下部枠杆４によって連結して方形状のパネル枠５を形成し、側部枠杆２、上下部枠杆３，４のパネル枠内側面に、内向き突条１０を長手方向に沿って設け、この内向き突条１０の頂部に凹溝１１，１６，３７を設けて、第１型式のパネル６，７を取付けるとともに、第２型式のパネル８を、その左右端面に係合溝３１を上下方向に沿って設け、この係合溝内に、側部枠杆２の内向き突条１０を嵌合させて取付けてパーティション装置１を構成する。【選択図】        図２
2006249835.tif 000002
【特許請求の範囲】
【請求項１】
左右１対の側部枠杆の上下の端部同士を、それぞれ上部枠杆、下部枠杆によって連結して方形状のパネル枠を形成し、このパネル枠内に、上下方向に複数のパネルを取付けてなるパーティション装置において、
側部枠杆、および上部および／または下部の枠杆におけるパネル枠の内側面に、凹溝を長手方向に沿って設け、周縁を前記凹溝に嵌合させることにより取付けた適数の第１型式のパネルと、左右端面に設けた上下方向の係合溝内に、左右の側部枠杆を嵌合させることにより取付けた適数の第２型式のパネルとを具備することを特徴とするパーティション装置。
【請求項２】
上下端面に凹溝を長手方向に沿って設けた第２型式のパネルを、パネル枠の上下方向の中央部に取付けるとともに、第２型式のパネルの上下両側に、それぞれ第１型式のパネルを、その周縁を、側部枠杆、上下部枠杆または第２型式のパネルに形成した凹溝に嵌合させて取付けたことを特徴とする請求項１記載のパーティション装置。
【請求項３】
左右の側部枠杆におけるパネル枠内側面に、内向き突条を上下方向に沿って設け、この内向き突条を、第２型式のパネルにおける左右端面の係合溝内に嵌合させたことを特徴とする請求項１または２に記載のパーティション装置。
【請求項４】
左右の側部枠杆および上下部枠杆における前後の突縁間に、内方に向かって漸次狭幅となる山形断面形状の内向き突条を設け、この内向き突条の頂部に長手方向に沿って凹溝を形成したことを特徴とする請求項１〜３のいずれかに記載のパーティション装置。
【請求項５】
左右の側部枠杆に上下方向の挿入孔を設け、この挿入孔に補強杆を嵌挿するとともに、補強杆および側部枠杆の上下の端部に、左右方向に連続して貫通する通孔を設け、上下部枠杆の、前記通孔と連続する位置にねじ孔を穿設し、通孔を通ってねじ孔に螺合するねじの締付けにより、前記側部枠杆と補強杆とを、上下部枠杆に螺着したことを特徴とする請求項１〜４のいずれかに記載のパーティション装置。
【請求項６】
側部枠杆および上下部枠杆の端面におけるパネル枠内方側部分を、互いに密接するように、それぞれ内方に向けて傾斜するように形成し、この傾斜した端面部分同士を当接させて連結したことを特徴とする請求項１〜５のいずれかに記載のパーティション装置。
【請求項７】
パネル枠の前後面と、第２型式のパネルの前後表面とを、ほぼ同一面となるようにしたことを特徴とする請求項１〜６のいずれかに記載のパーティション装置。
【請求項８】
第１型式のパネルを透光性、第２型式のパネルを不透光性の材料をもって、それぞれ形成したことを特徴とする請求項１〜７のいずれかに記載のパーティション装置。
【発明の詳細な説明】
【技術分野】
【０００１】
本発明は、オフィス等の執務空間において、空間を複数に仕切ったり、ワークステーションを構成したりするのに使用されるパーティション装置、就中ローパーティション装置に関する。
【背景技術】
【０００２】
ローパーティション装置としては、左右の側部枠杆の上下の端部同士を、それぞれ上部枠杆、下部枠杆によって連結して方形状とした枠体に、その内側面に形成した凹溝を利用して、平板状のパネルを取付けたものが公知である（たとえば、特許文献１）。
【０００３】
しかし、特許文献１に記載のものは、構造が簡単で安価にローパーティション装置を構成することができる反面、パネルが１枚からなっているため、パネル構成の自由度が制限されるという問題がある。
【０００４】
また、左右に離間して配置された側部枠杆の上下の端部同士を、それぞれ上部枠杆、下部枠杆によって連結して方形状とした枠体の前後面に、上下方向に複数のパネル単体を取付けて構成したものもある（たとえば、特許文献２，３）。
【０００５】
これら特許文献２，３において提案されているものは、パネルの材質、配色の選択の自由度が向上するとともに、仕様の変更にも容易に対応することができるという長所を有する。しかし、一方、枠体および複数のパネル単体を個別に製作しなければならないため、製作コストが高くなるという問題がある。
【０００６】
また、ローパーティションにおいては、パネルに、ガラス、アクリル等の透光性を有する材料を用いることにより、仕切りながらも、開放感を損なうことがなく、かつ自然に採光することができるという効果を得るようにしたものが見られるが、ローパーティションの全面が１枚のパネルからなるため、透光性パネルの構成上において制約があった。
【特許文献１】特開平９−２３５８０５号公報
【特許文献２】特開平８−２０９８２２号公報
【特許文献３】特開２０００−１２９８３１号公報
【発明の開示】
【発明が解決しようとする課題】
【０００７】
本発明は、前記の現状に鑑み、安価かつ簡易に製作することが可能であるとともに、パネル構成の自由度を高めることができるようにしたパーティション装置を提供することを目的とする。
【課題を解決するための手段】
【０００８】
上記課題は、特許請求の範囲における各請求項に示すように、下記の構成を備える発明によって解決される。
(１)  左右１対の側部枠杆の上下の端部同士を、それぞれ上部枠杆、下部枠杆によって連結して方形状のパネル枠を形成し、このパネル枠内に、上下方向に複数のパネルを取付けてなるパーティション装置において、側部枠杆、および上部および／または下部の枠杆におけるパネル枠の内側面に、凹溝を長手方向に沿って設け、周縁を前記凹溝に嵌合させることにより取付けた適数の第１型式のパネルと、左右端面に設けた上下方向の係合溝内に、左右の側部枠杆を嵌合させることにより取付けた適数の第２型式のパネルとを具備する。
【０００９】
(２)  上記(１)項において、上下端面に凹溝を長手方向に沿って設けた第２型式のパネルを、パネル枠の上下方向の中央部に取付けるとともに、第２型式のパネルの上下両側に、それぞれ第１型式のパネルを、その周縁を、側部枠杆、上下部枠杆または第２型式のパネルに形成した凹溝に嵌合させて取付ける。
【００１０】
(３)  上記(１)項または(２)項において、左右の側部枠杆におけるパネル枠内側面に、内向き突条を上下方向に沿って設け、この内向き突条を、第２型式のパネルにおける左右端面の係合溝内に嵌合させる。
【００１１】
(４)  上記(１)項〜(３)項のいずれかにおいて、左右の側部枠杆および上下部枠杆における前後の突縁間に、内方に向かって漸次狭幅となる山形断面形状の内向き突条を設け、この内向き突条の頂部に長手方向に沿って凹溝を形成する。
【００１２】
(５)  上記(１)項〜(４)項のいずれかにおいて、左右の側部枠杆に上下方向の挿入孔を設け、この挿入孔に補強杆を嵌挿するとともに、補強杆および側部枠杆の上下の端部に、左右方向に連続して貫通する通孔を設け、上下部枠杆の、前記通孔と連続する位置にねじ孔を穿設し、通孔を通ってねじ孔に螺合するねじの締付けにより、前記側部枠杆と補強杆とを、上下部枠杆に螺着する。
【００１３】
(６)  上記(１)項〜(５)項のいずれかにおいて、側部枠杆および上下部枠杆の端面におけるパネル枠内方側部分を、互いに密接するように、それぞれ内方に向けて傾斜するように形成し、この傾斜した端面部分同士を当接させて連結する。
【００１４】
(７)  上記(１)項〜(６)項のいずれかにおいて、パネル枠の前後面と、第２型式のパネルの前後表面とを、ほぼ同一面となるようにする。
【００１５】
(８)  上記(１)項〜(７)項のいずれかにおいて、第１型式のパネルを透光性、第２型式のパネルを不透光性の材料をもって、それぞれ形成する。
【発明の効果】
【００１６】
本発明によると、次のような効果が奏せられる。
請求項１記載の発明によれば、パーティション装置が、取付け形態の異なる第１型式のパネルと第２型式のパネルをパネル枠に取付けて構成されているため、材質、配色等のパネル構成に関して、大きな自由度を有している。たとえば、左右端面に係合溝を備え、この係合溝内に左右の側部枠杆を嵌合させて取付ける第２型式のパネルを、金属、木材、非透光性の合成樹脂等で形成することにより、視線の高さを非透視性とし、ワークステーションとして仕事に集中できる環境を提供することができるとともに、パーティション装置の強度を向上させることができる。さらに、第１型式のパネルをガラスや透光性の合成樹脂等で形成することにより、仕切りとして機能させながら、開放感を損なうことがないようにするなど、種々のバリエーションをもたせたパーティション装置を提供することができる。
また、側部枠杆および上下部枠杆が容易に押出成形できる形状であり、かつ第１，２の両パネルがパネル枠に簡単に取付けうる構造であるため、パーティション装置を安価かつ簡易に製作することが可能である。
【００１７】
請求項２記載の発明によれば、第２型式のパネル、およびこの第２型式のパネルの上下両側に配設された第１型式のパネルのそれぞれの上下方向の大きさを変更することにより、たとえば、透光性、透視性の第１型式のパネルと、非透光性の第２型式のパネルを、ユーザーの希望に応じた寸法で取付けたパーティション装置を容易に提供することができる。
【００１８】
請求項３記載の発明によれば、左右の側部枠杆における内向き突条を、第２型式のパネルにおける左右端面の係合溝内に嵌合させるだけで、第２型式のパネルをパネル枠に簡単に取付けることができる。
【００１９】
請求項４記載の発明によれば、内向き突条を内方に向かって漸次狭幅となる山形断面形状とし、この内向き突条の頂部に凹溝を設けてあるため、第１型式のパネルを、その周縁を前記凹溝に嵌合させてパネル枠に取付けることにより、パネル枠の前後面と第１型式のパネルの前後表面との間に可及的に段差をなくし、なだらかな傾斜面とすることができ、外観が良好となる。
【００２０】
請求項５記載の発明によれば、補強杆を側部枠杆に単に嵌挿するだけでなく、補強杆を左右方向に貫通するねじを、上下部枠杆に螺合してあるため、補強杆が側部枠杆内でがたつかないとともに、側部枠杆と上下部枠杆とを強固に連結することができ、かつその作業性も良好である。
【００２１】
請求項６記載の発明によれば、パネル枠のコーナ部を、現場において、作業能率よく、容易に、かつ充分な連結強度を保持して組み立てることができる。
【００２２】
請求項７記載の発明によれば、外観が良好であるとともに、第２型式のパネルの前後表面が、第１型式のパネルの前後表面より突出しているため、第１型式のパネルの保護にもなる。
【００２３】
請求項８記載の発明によれば、不透光性の第２型式のパネルにより、ワークステーションとして仕事に集中できる環境を提供するとともに、透光性の第１型式のパネルにより、仕切として機能させながら、開放感を損なうことがない明るい環境を提供することができるパーティション装置を製作することができる。
【発明を実施するための最良の形態】
【００２４】
図１は、本発明のパーティション装置の斜視図、図２は、図１に示したパーティション装置の分解斜視図、図３は、図１において破線円Ａで示すパネル枠のコーナ部の拡大分解斜視図、図４，図５，図６，図７は、それぞれ図１に示すIV〜IV線、Ｖ〜Ｖ線、VI〜VI線、VII〜VII線における拡大断面図である。
【００２５】
図１に示す本発明のパーティション装置(１)は、左右１対の側部枠杆(２)(２)の上下の端部同士を、それぞれ上部枠杆(３)、下部枠杆(４)によって連結して方形状のパネル枠(５)を形成し、このパネル枠(５)内に、上下方向に、第１型式のパネル(６)(７)および第２型式のパネル(８)が取付けられている。
側部枠杆(２)(２)、上部枠杆(３)、下部枠杆(４)は、一般にいずれもアルミニウムまたはその合金、あるいは合成樹脂製である。
【００２６】
図３に示すように、側部枠杆(２)(２)は、外側面に上下方向を向く前後の突縁(９)(９)を有するとともに、その内側方の中央に、パネル枠(５)の内方に向かって漸次狭幅となる山形断面形状の内向き突条(10)を一体的に形成してなり、内向き突条(10)の頂部には、上下方向の凹溝(11)が形成されている。
【００２７】
内向き突条(10)には、上下方向の挿入孔(12)が設けられ、この挿入孔(12)内に、円筒形のスチールまたはその他の金属製の補強杆(13)が嵌挿されている。
【００２８】
一方、上部枠杆(３)の下面にも、同様に前後の突縁(14)(14)間に、パネル枠(５)の内方に向かって漸次狭幅となる山形断面形状の内向き突条(15)が設けられ、この内向き突条(15)の頂部には、長手方向の凹溝(16)が形成されている。
【００２９】
側部枠杆(２)および上部枠杆(３)のそれぞれの端面(17)(18)は、そのパネル枠内方側部分(17a)(18a)が、互いに密接するように、それぞれ内方に向けて傾斜するように形成され、この傾斜した端面部分同士を当接して連結されている。
【００３０】
側部枠杆(２)および補強杆(13)の端部には、左右方向を向く通孔(19)(20)が設けられ、かつ上部枠杆(３)における前記通孔(19)(20)と連続する位置には、ねじ孔(21)が穿設されている。
【００３１】
側部枠杆(２)における前後の突縁(９)(９)間には、開口部(23)が狭幅となった上下方向の凹溝(24)が設けられている。
【００３２】
固定ねじ(25)を、側部枠杆(２)の外方から、側部枠杆(２)における前記開口部(23)、通孔(19)、および補強杆(13)の通孔(20)へ挿通させて、上部枠杆(３)の前記ねじ孔(21)に螺合して締付けることにより、側部枠杆(２)と上部枠杆(３)とは結合されている。
【００３３】
上部枠杆(３)における、パネル枠(５)の外方側端面(18b)には平面視Ｕ字状の切込み(3a)が設けられている。
【００３４】
内向き取付片(26a)と下向き固定突起(26b)(26b)を備える平面視ほぼ外向Ｕ字状のコーナ部材(26)が、前記内向き取付片(26a)を上部枠杆(３)に、下向き固定突起(26b)(26b)を側部枠杆(２)における凹溝(24)に、それぞれ嵌合して取付けられている。
【００３５】
さらに、コーナ部材(26)におけるＵ字状凹入部(26c)を閉塞するためのカバー部材(27)が、固定ねじ(28)をカバー部材(27)における通孔(27a)を経て、側部枠杆(２)の補強杆(13)における頂面(28)のねじ孔(29)に螺合することにより取付けられている。
【００３６】
なお、コーナ部材(26)のＵ字状凹入部(26c)、および側部枠杆(２)における凹溝(24)は、隣接するパネル枠(５)を連結するときに使用されるものであり、本発明とは直接的には関係ないので、説明を省略する。
【００３７】
側部枠杆(２)の下端部には、下部枠杆(４)が、上部枠杆(３)と同要領で連結されている。
【００３８】
図８は、図２における破線円Ｂで示す、第２型式のパネル(８)のコーナ部の拡大斜視図である。
【００３９】
図２，図６，図８に示すように、第２型式のパネル(８)は、その左右端面(30)に、係合溝(31)が上下方向に沿って設けられている。また、図２，図５，図８に示すように、第２型式のパネル(８)の上下端面(32)(33)には、凹溝(34)(35)が長手方向に沿って設けられている。
【００４０】
第１型式のパネル(６)(７)および第２型式のパネル(８)を、パネル枠(５)に取付けるには、次の手順による。
まず、図２に示すように、左右の側部枠杆(２)(２)の下端部に、前記した要領で、下部枠杆(４)を連結する。
【００４１】
次いで、例えばガラスや、透光性のある透明あるいは半透明の合成樹脂で形成された第１型式のパネル(６)を、パネル枠(５)の上方より、第１型式のパネル(６)の左右の周縁を、左右の側部枠杆(２)(２)における内向き突条(10)(10)の凹溝(11)(11)内に、パッキン(36)を介して嵌合させて落とし込み、かつ第１型式のパネル(６)の下部周縁を、下部枠杆(４)の凹溝(37)内に、パッキン(36)を介して嵌合させて取付ける。
【００４２】
次いで、例えば不透光性の合成樹脂、木材あるいは金属等の不透光性材料で形成された第２型式のパネル(８)を、パネル枠(５)の上方より、第２型式のパネル(８)における左右端面(30)(30)の係合溝(31)内に、左右の側部枠杆(２)(２)の内向き突条(10)(10)を嵌合させて落とし込み、第２型式のパネル(８)における下端面(33)の凹溝(35)内に、先に取付けた第１型式のパネル(６)の上部周縁を嵌合させて取付ける。
なお、第２型式のパネル(８)の前後表面と、パネル枠(５)の前後面とは、ほぼ同一面となるようにしてある。
【００４３】
次いで、透光性のある材料で形成された第１型式のパネル(７)を、パネル枠(５)の上方より、第１型式のパネル(７)の左右の周縁を、左右の側部枠杆(２)(２)における内向き突条(10)(10)の凹溝(11)(11)内に、パッキン(36)を介して嵌合させて落とし込み、第１型式のパネル(７)の下部周縁を、第２型式のパネル(８)における上端面(32)の凹溝(34)内に、パッキン(36)を介して嵌合させて取付ける。
【００４４】
最後に、第１型式のパネル(７)の上部周縁を、上部枠杆(３)の凹溝(16)内にパッキン(36)を介して嵌合させて、左右の側部枠杆(２)(２)の上端部を、上部枠杆(３)で連結することにより、パネル枠(５)内に、上下の第１型式のパネル(６)(７)の間に、第２型式のパネル(８)が取付けられたパーティション装置(１)が構成される。
【００４５】
下部枠杆(４)の下方には、側部枠杆(２)における補強杆(13)の下端に設けられた図示を省略したねじ孔（図３における補強杆(13)の上端におけるねじ孔(29)に相当するねじ孔）を利用して、所望の脚を取付けることもできる。
【００４６】
本発明のパーティション装置(１)は、単独でも、あるいは複数個を、適宜連結して用いることもできる。
【図面の簡単な説明】
【００４７】
【図１】本発明のパーティション装置の斜視図である。
【図２】図１に示したパーティション装置の分解斜視図である。
【図３】図１において破線円Ａで示すパネル枠のコーナ部の拡大分解斜視図である。
【図４】図１におけるIV〜IV線拡大横断面図である。
【図５】同じく、図１におけるＶ〜Ｖ線拡大縦断面図である。
【図６】同じく、図１におけるVI〜VI線拡大横断面図である。
【図７】同じく、図１におけるVII〜VII線拡大横断面図である。
【図８】図２において破線円Ｂで示す、第２型式のパネルのコーナ部の拡大斜視図である。
【符号の説明】
【００４８】
(１)パーティション装置
(２)側部枠杆
(３)上部枠杆
(3a)切込み
(４)下部枠杆
(５)パネル枠
(６)(７)第１型式のパネル
(８)第２型式のパネル
(９)突縁
(10)内向き突条
(11)凹溝
(12)挿入孔
(13)補強杆
(14)突縁
(15)内向き突条
(16)凹溝
(17)(18)端面
(17a)(18a)パネル枠内方側部分（傾斜した端面部分）
(18b)外方向端面
(19)(20)通孔
(21)ねじ孔
(22)外側面
(23)開口部
(24)凹溝
(25)固定ねじ
(26)コーナ部材
(26a)内向き取付片
(26b)固定突起
(26c)Ｕ字状凹入部
(27)カバー部
(27a)通孔
(28)頂面
(29)ねじ孔
(30)左右の端面
(31)係合溝
(32)上端面
(33)下端面
(34)(35)凹溝
(36)パッキン
(37)凹溝
【図１】
2006249835.tif 000003
【図２】
2006249835.tif 000004
【図３】
2006249835.tif 000005
【図４】
2006249835.tif 000006
【図５】
2006249835.tif 000007
【図６】
2006249835.tif 000008
【図７】
2006249835.tif 000009
【図８】
2006249835.tif 000010